【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
顔面のシワを予防、及び／又は改善させる為の、体幹部に施術されるマッサージ方法の評価方法であって、体幹及び／又は顔面の筋緊張度を施術の前後に計測し、該筋緊張度の緩和の度合いを指標としてマッサージ方法を評価することを特徴とする、マッサージ方法の評価方法。
【請求項２】
前記筋緊張度の緩和の度合いが大きいほど顔面のシワの予防、及び／又は改善の効果が高いと判別することを特徴とする、請求項１に記載の評価方法。
【請求項３】
前記施術に於いて、マッサージ料を介在させることを特徴とする、請求項１又は２に記載の評価方法。
【請求項４】
顔面のシワを予防、及び／又は改善させる為の、体幹部に施術されるマッサージ方法に用いられるマッサージ料の評価方法であって、同一手技で、異なったマッサージ料を用い、施術を行い、体幹及び／又は顔面の筋緊張度を施術の前後に計測し、該筋緊張度の緩和の度合いを指標としてマッサージ料を評価することを特徴とする、マッサージ料の評価方法。
【請求項５】
体幹の筋緊張度が筋硬度であることを特徴とする、請求項１〜３の何れか１項に記載の評価方法。
【請求項６】
顔面の筋緊張度が表面筋電位であることを特徴とする、請求項１〜３の何れか１項に記載の評価方法。
【請求項７】
顔面が前額であることを特徴とする、請求項６に記載の評価方法。
【請求項８】
体幹の筋緊張度が筋硬度であることを特徴とする、請求項４に記載の評価方法。
【請求項９】
顔面の筋緊張度が表面筋電位であることを特徴とする、請求項４に記載の評価方法。
【請求項１０】
顔面が前額であることを特徴とする、請求項９に記載の評価方法。
【手続補正２】
【補正対象書類名】明細書
【補正対象項目名】０００１
【補正方法】変更
【補正の内容】
【０００１】
本発明は、マッサージ方法の評価方法及びマッサージ料の評価方法に関する。さらに詳しくは、筋緊張度を計測することを特徴とする、顔面のシワを防ぐ及び／又は改善させるマッサージ方法の評価方法及びマッサージ料の評価方法に関する。
【手続補正３】
【補正対象書類名】明細書
【補正対象項目名】０００４
【補正方法】変更
【補正の内容】
【０００４】
一方、マッサージ方法については、心身へのより高い効果を提供するために、マッサージの装置や道具の検討を初めとして、マッサージ施術の技術やその対象部位についての技術開発が行われている。例えば、特許文献９では被施術者の呼吸リズムに同調させた施術によってリラクゼーションを高める方法、特許文献１０では被施術者の心身の症状に対応したツボに対する施術によって症状の改善を図る方法、特許文献１１では皮膚構造に基づいて真皮繊維や動静脈血流の方向への施術によって美容効果を高める方法等が開示されており、心身生理機能の利用が重要であることが示唆されてきている。これらのことからも、マッサージ方法を的確に評価する技術が重要であることが明らかである。
【手続補正４】
【補正対象書類名】明細書
【補正対象項目名】０００５
【補正方法】変更
【補正の内容】
【０００５】
多くの女性にとって、美の要素として重要なシワや皮膚のハリに代表される皮膚の形態変化は、容貌に及ぼすマイナスの影響が非常に大きいことから、特に深刻な問題である。この為、各種のシワ予防用の手術方法、化粧料、道具、食品等の技術が開示され、また、シワの形成や抑制のための研究等が行われている。例えば、特許文献１２のボツリヌス菌の神経毒を利用した美容治療方法や特許文献１３の筋電図を用いた表情ジワ抑制のための筋肉弛緩用化粧料の開示、非特許文献１のシワについての分類、発生機序及び評価技術の総説等が提示されている。しかし、このようなシワに対して手術方法、化粧料や道具ではなく、より手軽で安全で、且つ確実な効果のあるマッサージ方法や技術が望まれていた。しかし、マッサージ方法によるシワ抑制効果は期待されるに拘わらず、単に化粧料やマッサージ料自身の保湿効果や血行促進効果に誘起される体液循環改善に基づくシワ軽減効果に止まっている状況にあった。即ち、シワが、体幹への施術に起因する生理機能の変化に関連することは知られておらず、特に、シワの形成部から遠隔部に存する、体幹の筋肉の緊張度を改善するマッサージによって、顔面筋の緊張が緩和し、顔面のシワを改善できることは今まで全く知られていなかった。
【手続補正５】
【補正対象書類名】明細書
【補正対象項目名】０００８
【補正方法】変更
【補正の内容】
【０００８】
このような状況を鑑みて、本発明者らは、顔面のシワを予防、又は改善させるための、マッサージ方法及び／又はマッサージ料の評価技術を求めて、鋭意研究努力を重ねた結果
、体幹部に施術されるマッサージに対して、体幹及び／又は顔面の筋緊張度を施術の前後に計測し、該筋緊張度の緩和の度合いを指標とすることを特徴とする、マッサージ方法の評価方法によって、顔面のシワを予防、又は改善させるためのマッサージ方法やマッサージ料を評価できることを見出し、発明を完成させるに至った。即ち、本発明は以下に示すとおりである。
（１）顔面のシワを予防、及び／又は改善させる為の、体幹部に施術されるマッサージ方法の評価方法であって、体幹及び／又は顔面の筋緊張度を施術の前後に計測し、該筋緊張度の緩和の度合いを指標としてマッサージ方法を評価することを特徴とする、マッサージ方法の評価方法。
（２）前記筋緊張度の緩和の度合いが大きいほど顔面のシワの予防、及び／又は改善の効果が高いと判別することを特徴とする、（１）に記載の評価方法。
（３）前記施術に於いて、マッサージ料を介在させることを特徴とする、（１）又は（２）に記載の評価方法。
（４）顔面のシワを予防、及び／又は改善させる為の、体幹部に施術されるマッサージ方法に用いられるマッサージ料の評価方法であって、同一手技で、異なったマッサージ料を用い、施術を行い、体幹及び／又は顔面の筋緊張度を施術の前後に計測し、該筋緊張度の緩和の度合いを指標としてマッサージ料を評価することを特徴とする、マッサージ料の評価方法。
（５）体幹の筋緊張度が筋硬度であることを特徴とする、（１）〜（３）の何れかに記載の評価方法。
（６）顔面の筋緊張度が表面筋電位であることを特徴とする、（１）〜（３）の何れかに記載の評価方法。
（７）顔面が前額であることを特徴とする、（６）に記載の評価方法。
（８）体幹の筋緊張度が筋硬度であることを特徴とする、（４）に記載の評価方法。
（９）顔面の筋緊張度が表面筋電位であることを特徴とする、（４）に記載の評価方法。（１０）顔面が前額であることを特徴とする、（９）に記載の評価方法。
【手続補正６】
【補正対象書類名】明細書
【補正対象項目名】００１０
【補正方法】変更
【補正の内容】
【００１０】
本発明は、顔面のシワを予防、又は改善させるための、マッサージ方法及び／又はマッサージ料の評価技術であって、体幹部に施術されるマッサージに対して、体幹及び／又は顔面の筋緊張度を施術の前後に計測し、筋緊張度の緩和の度合いが大きいほど顔面のシワの予防、及び／又は改善の効果が高いと判別し、また、同一手技で、異なるマッサージ料を用いて施術を行い、その施術の前後における、体幹及び／又は顔面の筋緊張度を計測し、該筋緊張度の緩和の度合いを比較し、指標とすることを特徴とする。即ち、前記筋緊張度の緩和の度合いが大きいほど、顔面におけるシワの改善度の高いマッサージ施術であり、シワ改善のためのマッサージとしては好ましいものであると判別する。ここで、本発明において、体幹部とは、手、足、頭を除いたからだの部位の総称を意味し、マッサージを受けるべき体幹としては、体幹背部が好ましく、背中、肩乃至は首の側面及び背面が好ましく例示できる。体幹部に施術されるマッサージとしては、背中、肩や頚部に対する軽擦、圧迫及び指圧等を行う、図１に示すような手技が好ましい。
【手続補正７】
【補正対象書類名】明細書
【補正対象項目名】００１２
【補正方法】変更
【補正の内容】
【００１２】
筋肉の緊張度合である筋緊張度の客観的な計測方法としては、非侵襲的な方法が望ましく、一般的に身体の部位や症状に対応した計測方法が用いられている。このような計測方法として、例えば、顔面や体幹部位に対しては、多くの筋繊維や筋肉の筋緊張情報を表す表面筋電位計測が例示でき、一方、肩こり等の体幹部の筋肉の状態に対しては、その筋硬度を計測する筋硬度計が例示できる。
【手続補正８】
【補正対象書類名】明細書
【補正対象項目名】００１５
【補正方法】変更
【補正の内容】
【００１５】
本発明のマッサージ方法の評価方法においては、評価の蓋然性を担保するために、複数の被験者を用いて評価を行い、有意差（ｔ）検定などの統計学的な解析を行うことが好ましい。この時被験者数は、統計的な処理に耐える程度の例数を用いれば良く、具体的には少なくとも１０例、より好ましくは５０例以上である。この様な評価は、次に示す手順によって行われる。
（１）パネラーを選別し、安静時筋緊張度（筋電図）などの基礎生理機能を予め測定しておく。
（２）複数のマッサージ方法を比較する場合には、前記基礎生理機能を指標に、基礎生理機能の分散が偏らないように群分けを行う。
（３）施術前に、安静時筋緊張度（筋電図）を計測しておく。
（４）施術者の習熟度の差が無いように、体幹部にマッサージを行い、しかる後に再び安静時筋緊張度（筋電図）の計測を行う。
（５）（３）と（４）との計測値の比較を行い、施術による、群ごとの安静時筋緊張度の緩和の度合いの平均を求める。これを統計学的に比較し、安静時筋緊張の緩和の度合いの高いものほど、シワ改善に、より好適なマッサージ方法であると判別する。
【手続補正９】
【補正対象書類名】明細書
【補正対象項目名】００１６
【補正方法】変更
【補正の内容】
【００１６】
前記のマッサージ方法の評価方法を応用して、同一のマッサージ施術で、介在するマッサージ料のみを変えて、マッサージ施術を行い、安静時筋緊張の緩和の度合いを求め、これを比較することにより、マッサージ料の評価、より詳細には、顔面のシワを改善或いは予防するための体幹部に行うマッサージ用のマッサージ料の評価ができる。かかる評価は以下の手順に従って、好ましく行われる。
（１）パネラーを選別し、安静時筋緊張度（筋電図）などの基礎生理機能を予め測定しておく。
（２）前記基礎生理機能を指標に、評価すべきマッサージ料の種類の数と同数の群に、基礎生理機能の分散が偏らないように群分けを行う。この時、１群あたりの例数はマッサージ方法の評価と同様に、統計的な処理に耐える程度の例数を用いれば良く、具体的には少なくとも１０例、より好ましくは５０例以上である。
（３）施術前に、安静時筋緊張度（筋電図）を計測しておく。
（４）施術者の習熟度の差が無いように、群毎にマッサージ料を変え、マッサージの施術は変えずに、体幹部にマッサージを行い、しかる後に再び安静時筋緊張度（筋電図）の計測を行う。
（５）（３）と（４）との計測値の比較を行い、施術による、群ごとの安静時筋緊張度の緩和の度合いの平均を求める。これを統計学的に比較し、安静時筋緊張の緩和の度合いの高いものほど、シワ改善に、より好適なマッサージ料であると判別する。
【手続補正１０】
【補正対象書類名】明細書
【補正対象項目名】００２０
【補正方法】変更
【補正の内容】
【００２０】
顔面のシワと顔面部の前頭筋緊張度との関係を確認した。無作為に選抜した健常な女性被験者８５名（２１〜５７才）を対象に、洗顔２０分後に有限会社アサヒバイオメッドの反射型シリコンを用いて前額部中央（図６参照）よりレプリカを採取した。予め作成されたシワスコア基準（図７参照）に従って、８５名のレプリカを３名の専門評価者によって５段階目視評価を行い、評価が不一致の場合には２名が一致した評価に合わせた。また、そのレプリカを日本化粧品工業連合会のガイドラインに従い、画像解析ソフトウェアを用いてシワ画像解析パラメータである面積比率（％）、総シワ平均深さ（ｍｍ）、最大シワ平均深さ（ｍｍ）、及び最大シワ最大深さ（ｍｍ）を求めた。
【手続補正１１】
【補正対象書類名】明細書
【補正対象項目名】００２４
【補正方法】変更
【補正の内容】
【００２４】
顔面のシワと体幹部の筋緊張度との関係を確認した。実施例１の被験者において、肩こりの自覚度を調べるアンケートであるＶＡＳ用紙（Ｖｉｓｕａｌ Ａｎａｌｏｇｕｅ Ｓｃａｌｅ、図８参照）を用いて、現在の肩こり度（ＶＡＳ値、単位ｃｍ）を記入させた後、肩部位で肩こりが起こり易い肩峰と第七頸椎の中点部位（図５参照）の筋硬度を生体組織硬度計ＰＥＫ−１（図４参照）を用いて計測した。
【手続補正１２】
【補正対象書類名】明細書
【補正対象項目名】００２７
【補正方法】変更
【補正の内容】
【００２７】
体幹部へのマッサージ施術による顔面のシワと、体幹部及び顔面の筋緊張度への影響を確認した。実施例１及び２と同様の計測手段にて、肩こりに悩んでいる女性被験者１１名（４１〜５３才）を対象に、洗顔２０分後から、前額部よりレプリカ採取、前額部の表面筋電位計測、肩部の筋硬度計測を行った後、図１に示すような、軽擦、圧迫及び指圧等の背中、肩及び頚部へのマッサージ施術を、オイルタイプのマッサージ料を用い、専門家のエステティシャンに２０分間行ってもらった。施術終了後に、施術前と同様に表面筋電位と筋硬度の計測を行った。体幹部へのマッサージは毎週２回で同じ時間帯に実施するようにし、１ヶ月後に初回と同様に施術を行い、施術前後に計測を行った。
【手続補正１３】
【補正対象書類名】明細書
【補正対象項目名】００２８
【補正方法】変更
【補正の内容】
【００２８】
計測したレプリカ、表面筋電位、筋硬度について解析した結果を表３に示す。表３より、マッサージ施術後に、安静時筋緊張度（緩和度７７％）及び筋硬度とも有意（Ｐ＜０．０１）に低下し、また、１ヶ月後に安静時筋緊張度（緩和度７０％）と筋硬度に加えて、シワ画像解析パラメータも有意（Ｐ＜０．０１）に低下した。このことから、顔面のシワを予防及び／又は改善させる為の、体幹部に施術されるマッサージ方法及び／又はマッサ
ージ料の評価方法において、体幹及び／又は顔面の筋緊張度を指標とすることは有効であることが分かる。
【手続補正１４】
【補正対象書類名】明細書
【補正対象項目名】００３０
【補正方法】変更
【補正の内容】
【００３０】
＜比較例１＞
顔面部へのマッサージ施術による顔面のシワと、体幹部及び顔面の筋緊張度への影響を確認した。実施例３と同様の計測手段、実験手順に従い、肩こりに悩んでいる女性被験者１０名（４５〜５０才）を対象に、洗顔２０分後から、前額部よりレプリカ採取、前額部の表面筋電位計測、肩部の筋硬度計測を行った後、オイルタイプのマッサージ料を用いて顔面への軽擦、圧迫及び指圧等のマッサージ施術を２０分間行った。施術終了後に、施術前と同様に表面筋電位と筋硬度の計測を行った。顔面部へのマッサージは毎週２回で同じ時間帯に実施するようにし、１ヶ月後に初回と同様に、施術前後に計測を行った。
【手続補正１５】
【補正対象書類名】明細書
【補正対象項目名】００３３
【補正方法】変更
【補正の内容】
【００３３】
本発明によって、顔面のシワを予防、又は改善させるための、マッサージ方法及び／又はマッサージ料の評価技術を提供することができる。その結果、アドバイスやカウンセリングの分野においては、顧客と直接接する場所、例えば、デパート、店頭や顧客の家において、シワ等の肌悩みや美容のカウンセリング等に使用できるマッサージ料やマッサージ施術等の有用な情報を提供でき、また、新規なマッサージ料やマッサージ技術の開発現場においては、より有効で顧客に満足してもらえるマッサージ料やマッサージ施術を開発するための技術を提供できる。
【手続補正１６】
【補正対象書類名】明細書
【補正対象項目名】００３４
【補正方法】変更
【補正の内容】
【００３４】
【図１】体幹部に施術されるマッサージ方法の例を示す図である。
【図２】筋電位計測のための前額部位における電極装着の位置を示す図である。
【図３】安静時及び筋緊張時の筋電図を示す図である（図面代用写真）。
【図４】筋硬度計ＰＥＫ−１の形状を示す図である（図面代用写真）。
【図５】肩こり部位で筋硬度を計測する位置を示す図である。
【図６】前額部位のシワ評価のためのレプリカ採取を行う位置を示す図である。
【図７】前額部位のシワ官能評価のためのシワスコアの標準画像を示す図である（図面代用写真）。
【図８】肩こり度を調べるＶＡＳ（Ｖｉｓｕａｌ Ａｎａｌｏｇｕｅ Ｓｃａｌｅ）の記入用紙を示す図である。